【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
チャンバーと境を接しかつ濾過流体の出口を有する隔壁と、
該濾過流体の出口でシールによって該隔壁に回転可能に連結された該チャンバー内のフィルターエレメントとを含んで成る半径方向流入式遠心濾過デバイスであって、
該フィルターエレメントが、ミクロポーラスの延伸膨張ポリテトラフルオロエチレンメンブレンを含んで成り、及び
該フィルターエレメントへ半径方向に流れる粒子含有ガスから粒子を分離し、かつ該メンブレンから粒子を遠心的に排出するよう適合された、半径方向流入式遠心濾過デバイス。
【請求項２】
前記メンブレンが、ポリエステル、ポリプロピレン、ポリアラミド、ガラス繊維、ポリテトラフルオロエチレン、又はポリエチレン材料、及びそれらの組み合せから成る群より選択された材料を含んで成る基材に積層された、請求項１に記載のデバイス。
【請求項３】
前記基材が、スパンボンドポリエチレン、複合スパンボンドポリエチレン、又はポリエチレンフェルト材料、及びそれらの組み合せの形態のポリエチレンを含んで成る、請求項２に記載のデバイス。
【請求項４】
前記基材に積層された前記メンブレンが、少なくとも約２５ｐｓｉのミューレン破裂強度、及び少なくとも約０．５のフレイジャー数を有する、請求項３に記載のデバイス。
【請求項５】
前記延伸膨張ポリテトラフルオロエチレンメンブレンが、金属、半金属、金属酸化物、ガラス、又はセラミックの粉末、及びそれらの組み合せから選択された少なくとも１つの充填材を含む、請求項１に記載のデバイス。
【請求項６】
前記延伸膨張ポリテトラフルオロエチレンメンブレンが、活性炭、カーボンブラック、及びポリマー樹脂の粉末、並びにそれらの組み合せから選択された少なくとも１つの充填材を含む、請求項１に記載のデバイス。
【請求項７】
前記フィルターエレメントが第２隔壁にさらに回転可能に連結され、前記隔壁間に配置された、請求項１に記載のデバイス。
【請求項８】
チャンバーと境を接しかつ濾過流体の出口を有する隔壁と；
フィルター媒体を含み、かつ該濾過流体の出口でシールによって該隔壁に回転可能に連結された該チャンバー内のフィルターエレメントと；
中央開口を有する複数の積み重ねられた環状ディスクを含んで成り、各ディスクが、所望のギャップによって隣のディスクから隔てられた境界層運動量移動デバイスとを含んで成る半径方向流入式遠心濾過デバイスであって、
該中央開口が、該フィルターエレメントを取り付けるキャビティを画定し、及び
フィルターシステムへ半径方向に流れる粒子含有流体から粒子を分離し、かつ該フィルター媒体から粒子を遠心的に排出するよう適合された、半径方向流入式遠心濾過デバイス。
【請求項９】
前記フィルター媒体が、ポリエステル、ポリプロピレン、ポリアラミド、ガラス繊維、ポリテトラフルオロエチレン、ポリエチレン、又はそれらの組み合せを含んで成る、請求項８に記載のデバイス。
【請求項１０】
前記フィルター媒体が、基材に積層されたミクロポーラスメンブレンを含んで成る、請求項８に記載のデバイス。
【請求項１１】
前記フィルター媒体が、少なくとも約２５ｐｓｉのミューレン破裂強度、及び少なくとも約０．５のフレイジャー数を有する、請求項８に記載のデバイス。
【請求項１２】
前記ミクロポーラスメンブレンが、延伸膨張ポリテトラフルオロエチレンメンブレンである、請求項１０に記載のデバイス。
【請求項１３】
前記延伸膨張ポリテトラフルオロエチレンメンブレンが、金属、半金属、金属酸化物、ガラス、又はセラミックの粉末、及びそれらの組み合せから選択された少なくとも１つの充填材を含む、請求項１２に記載のデバイス。
【請求項１４】
前記延伸膨張ポリテトラフルオロエチレンメンブレンが、活性炭、カーボンブラック、及びポリマー樹脂の粉末、並びにそれらの組み合せから選択された少なくとも１つの充填材を含む、請求項１２に記載のデバイス。
【請求項１５】
前記フィルターエレメントが第２隔壁に回転可能に連結され、前記隔壁間に配置された、請求項８に記載のデバイス。
【手続補正２】
【補正対象書類名】明細書
【補正対象項目名】００７０
【補正方法】変更
【補正の内容】
【００７０】
図１７は、ひだのない円筒形濾過媒体を使用した以外は、試料Ｘと同様の濾過デバイスの初期質量除去効率を示す。質量除去効率は、デバイスが３４５０ｒｐｍで２００ｃｆｍの空気流量で以って回転した場合に、濾過デバイスの通過を妨げられた微粒子質量の割合として算出した。図１７に示すように、本発明のｅＰＴＦＥ積層体の初期濾過性能は、非積層のポリプロピレン及びポリエステルのフェルトよりも相当に優れている。
以上説明した本発明を要約して示せば、次のとおりである。
（１）チャンバーと境を接しかつ濾過流体の出口を有する隔壁と、
該濾過流体の出口でシールによって該隔壁に回転可能に連結された該チャンバー内のフィルターエレメントとを含んで成る半径方向流入式遠心濾過デバイスであって、
該フィルターエレメントが、ミクロポーラスの延伸膨張ポリテトラフルオロエチレンメンブレンを含んで成り、及び
該フィルターエレメントへ半径方向に流れる粒子含有ガスから粒子を分離し、かつ該メンブレンから粒子を遠心的に排出するよう適合された、半径方向流入式遠心濾過デバイス。
（２）前記メンブレンが基材に積層された、（１）に記載のデバイス。
（３）前記基材が、ポリエステル、ポリプロピレン、ポリアラミド、ガラス繊維、ポリテトラフルオロエチレン、又はポリエチレン材料、並びにそれらの組み合せを含んで成る、（２）に記載のデバイス。
（４）前記基材が、スパンボンドポリエチレン、複合スパンボンドポリエチレン、又はポリエチレンフェルト材料、及びそれらの組み合せの形態のポリエチレンを含んで成る、（３）に記載のデバイス。
（５）前記基材に積層された前記メンブレンが、少なくとも約２５ｐｓｉのミューレン破裂強度、及び少なくとも約０．５のフレイジャー数を有する、（２）に記載のデバイス。
（６）前記基材に積層された前記メンブレンが、少なくとも約１００ｐｓｉのミューレン破裂強度、及び少なくとも約３のフレイジャー数を有する、（２）に記載のデバイス。
（７）前記シールが接触シールである、（１）に記載のデバイス。
（８）前記シールが非接触シールである、（１）に記載のデバイス。
（９）前記延伸膨張ポリテトラフルオロエチレンメンブレンが、少なくとも１つの充填材を含む、（１）に記載のデバイス。
（１０）前記充填材が、金属、半金属、金属酸化物、ガラス、又はセラミックの粉末、及びそれらの組み合せを含む、（９）に記載のデバイス。
（１１）前記充填材が、活性炭、カーボンブラック、及びポリマー樹脂の粉末、並びにそれらの組み合せを含む、（９）に記載のデバイス。
（１２）前記フィルターエレメントが第２隔壁にさらに回転可能に連結され、前記隔壁間に配置された、（１）に記載のデバイス。
（１３）チャンバーと境を接しかつ濾過流体の出口を有する隔壁と；
フィルター媒体を含み、かつ該濾過流体の出口でシールによって該隔壁に回転可能に連結された該チャンバー内のフィルターエレメントと；
中央開口を有する複数の積み重ねられた環状ディスクを含んで成り、各ディスクが、所望のギャップによって隣のディスクから隔てられた境界層運動量移動デバイスとを含んで成る半径方向流入式遠心濾過デバイスであって、
該中央開口が、該フィルターエレメントを取り付けるキャビティを画定し、及び
フィルターシステムへ半径方向に流れる粒子含有流体から粒子を分離し、かつ該フィルター媒体から粒子を遠心的に排出するよう適合された、半径方向流入式遠心濾過デバイス。
（１４）前記フィルター媒体が、ポリエステル、ポリプロピレン、ポリアラミド、ガラス繊維、ポリテトラフルオロエチレン、ポリエチレン、又はそれらの組み合せを含んで成る、（１３）に記載のデバイス。
（１５）前記フィルター媒体が、スパンボンドポリエチレン、複合スパンボンドポリエチレン、ポリエチレンフェルト、又はそれらの組み合せの形態のポリエチレンを含んで成る、（１４）に記載のデバイス。
（１６）前記フィルター媒体が、基材に積層されたミクロポーラスメンブレンを含んで成る、（１３）に記載のデバイス。
（１７）前記ミクロポーラスメンブレンが、延伸膨張ポリテトラフルオロエチレンメンブレンである、（１６）に記載のデバイス。
（１８）前記フィルター媒体が、フッ素化ポリマーのミクロポーラスメンブレンに積層されたポリエステル、ポリプロピレン、ポリアラミド、ガラス繊維、ポリテトラフルオロエチレン、又はポリエチレンの基材、及びそれらの組み合せを含んで成る、（１３）に記載のデバイス。
（１９）前記フィルター媒体が、ミクロポーラスメンブレンに積層されたスパンボンドポリエチレン、複合スパンボンドポリエチレン、又はポリエチレンフェルトの基材、及びそれらの組み合せの形態のポリエチレンを含んで成る、（１８）に記載のデバイス。
（２０）前記フィルター媒体が、少なくとも約２５ｐｓｉのミューレン破裂強度、及び少なくとも約０．５のフレイジャー数を有する、（１３）に記載のデバイス。
（２１）前記フィルター媒体が、少なくとも約１００ｐｓｉのミューレン破裂強度、及び少なくとも約３のフレイジャー数を有する、（１３）に記載のデバイス。
（２２）前記シールが接触シールである、（１３）に記載のデバイス。
（２３）前記シールが非接触シールである、（１３）に記載のデバイス。
（２４）前記延伸膨張ポリテトラフルオロエチレンメンブレンが、少なくとも１つの充填材を含む、（１７）に記載のデバイス。
（２５）前記充填材が、金属、半金属、金属酸化物、ガラス、又はセラミックの粉末、及びそれらの組み合せを含む、（２４）に記載のデバイス。
（２６）前記充填材が、活性炭、カーボンブラック、及びポリマー樹脂の粉末、並びにそれらの組み合せを含む、（２４）に記載のデバイス。
（２７）前記フィルターエレメントが第２隔壁に回転可能に連結され、前記隔壁間に配置された、（１３）に記載のデバイス。
（２８）チャンバーと境を接しかつ濾過流体の出口を有する隔壁と、
該濾過流体の出口でシールによって該隔壁に回転可能に連結された該チャンバー内のフィルターエレメントとを含んで成り、該フィルターエレメントが、ミクロポーラスの延伸膨張ポリテトラフルオロエチレンメンブレンを含むフィルター媒体を含んで成る、半径方向流入式遠心濾過デバイスを提供すること；
該チャンバーから該フィルター媒体を介し、該濾過流体の出口外部へ粒子含有ガスを流すこと；
該粒子含有ガスから粒子を該フィルター媒体上に収集すること；並びに
該フィルター媒体から粒子を排出するのに十分な速度で該フィルターエレメントを回転させることを含んで成る、ガスを濾過する方法。
（２９）前記メンブレンが基材に積層された、（２８）に記載の方法。
（３０）前記粒子含有ガスが、ポリテトラフルオロエチレンの湿潤液を含んで成るエーロゾルである、（２８）に記載の方法。
（３１）前記粒子含有ガスが、ポリテトラフルオロエチレンの非湿潤液を含んで成るエーロゾルである、（２８）に記載の方法。
（３２）前記粒子含有ガスが、液体及び固体物質の少なくとも１つを含んで成るエーロゾルである、（２８）に記載の方法。
（３３）フィルターの基材が、ポリエステル、導電性ポリエステル、ポリプロピレン、ポリアラミド、ガラス繊維、又はポリテトラフルオロエチレンの基材、及びそれらの組み合せを含んで成る、（２９）に記載の方法。
（３４）前記基材が、スパンボンドポリエチレン、複合スパンボンドポリエチレン、又はポリエチレンフェルトの基材、及びそれらの組み合せを含んで成る、（２９）に記載の方法。
（３５）前記フィルター媒体が、少なくとも約２５ｐｓｉのミューレン破裂強度、及び少なくとも約０．５のフレイジャー数を有する、（２８）に記載の方法。
（３６）前記フィルター媒体が、少なくとも約１００ｐｓｉのミューレン破裂強度、及び少なくとも約３のフレイジャー数を有する、（２８）に記載の方法。
（３７）前記シールが接触シールである、（２８）に記載の方法。
（３８）前記シールが非接触シールである、（２８）に記載の方法。
（３９）前記延伸膨張ポリテトラフルオロエチレンメンブレンが、少なくとも１つの充填材を含む、（２８）に記載の方法。
（４０）前記充填材が、金属、半金属、金属酸化物、ガラス、又はセラミックの粉末、及びそれらの組み合せを含む、（３９）に記載の方法。
（４１）前記充填材が、活性炭、カーボンブラック、及びポリマー樹脂の粉末、並びにそれらの組み合せを含む、（３９）に記載の方法。
（４２）前記フィルターエレメントが第２隔壁に回転可能に連結され、前記隔壁間に配置された、（２８）に記載の方法。
（４３）チャンバーと境を接しかつ濾過流体の出口を有する隔壁と、
該濾過流体の出口でシールによって該隔壁に回転可能に連結され、フィルター媒体を含んで成る該チャンバー内のフィルターエレメントと、
中央開口を有する複数の積み重ねられた環状ディスクを含んで成り、各ディスクが、所望のギャップによって隣のディスクから隔てられた境界層運動量移動デバイスとを含んで成り、該中央開口が該フィルターエレメントを取り付けるキャビティを画定している、半径方向流入式遠心濾過デバイスを提供すること；
該チャンバーから該積み重ねられた環状ディスクの間に、該フィルター媒体を介して、該濾過流体の出口外部へ粒子含有流体を流すこと；
該粒子含有流体から粒子を該フィルター媒体上に収集すること；並びに
該フィルター媒体及び該境界層運動量移動デバイスから該粒子含有流体の粒子を排出するのに十分な速度で以って、該フィルターエレメント及び該境界層運動量移動デバイスを回転させることを含んで成る、流体を濾過する方法。
（４４）前記フィルター媒体が、ポリエステル、ポリプロピレン、ポリアラミド、ガラス繊維、ポリテトラフルオロエチレン、ポリエチレン、又はそれらの組み合せを含んで成る、（４３）に記載の方法。
（４５）前記フィルター媒体が、スパンボンドポリエチレン、複合スパンボンドポリエチレン、ポリエチレンフェルト、又はそれらの組み合せの形態のポリエチレンを含んで成る、（４４）に記載の方法。
（４６）前記粒子含有流体が、フィルター媒体の湿潤液を含んで成るエーロゾルである、（４３）に記載の方法。
（４７）前記粒子含有流体が、フィルター媒体の非湿潤液を含んで成るエーロゾルである、（４３）に記載の方法。
（４８）前記粒子含有流体が、液体及び／又は固体物質を含んで成るエーロゾルである、（４３）に記載の方法。
（４９）前記粒子含有流体が、懸濁した固体物質を含有する液体である、（４３）に記載の方法。
（５０）前記フィルター媒体が、ミクロポーラスメンブレンに積層されたポリエステル、導電性ポリエステル、ポリプロピレン、ポリアラミド、ガラス繊維、又はポリテトラフルオロエチレンの基材、及びそれらの組み合せを含んで成る、（４３）に記載の方法。
（５１）前記フィルター媒体が、ミクロポーラスメンブレンに積層されたスパンボンドポリエチレン、複合スパンボンドポリエチレン、又はポリエチレンフェルトの基材、及びそれらの組み合せを含んで成る、（４３）に記載の方法。
（５２）前記ミクロポーラスメンブレンが、延伸膨張ポリテトラフルオロエチレンメンブレンである、（５０）に記載の方法。
（５３）前記ミクロポーラスメンブレンが、延伸膨張ポリテトラフルオロエチレンメンブレンである、（５１）に記載の方法。
（５４）前記フィルター媒体が、少なくとも約２５ｐｓｉのミューレン破裂強度、及び少なくとも約０．５のフレイジャー数を有する、（４３）に記載の方法。
（５５）前記フィルター媒体が、少なくとも約１００ｐｓｉのミューレン破裂強度、及び少なくとも約３のフレイジャー数を有する、（４３）に記載の方法。
（５６）前記シールが接触シールである、（４３）に記載の方法。
（５７）前記シールが非接触シールである、（４３）に記載の方法。
（５８）前記延伸膨張ポリテトラフルオロエチレンメンブレンが、少なくとも１つの充填材を含む、（５２）に記載の方法。
（５９）前記延伸膨張ポリテトラフルオロエチレンメンブレンが、少なくとも１つの充填材を含む、（５３）に記載の方法。
（６０）前記充填材が、金属、半金属、金属酸化物、ガラス、又はセラミックの粉末、及びそれらの組み合せを含む、（５８）に記載の方法。
（６１）前記充填材が、金属、半金属、金属酸化物、ガラス、又はセラミックの粉末、及びそれらの組み合せを含む、（５９）に記載の方法。
（６２）前記充填材が、活性炭、カーボンブラック、及びポリマー樹脂の粉末、並びにそれらの組み合せを含む、（６０）に記載の方法。
（６３）前記充填材が、活性炭、カーボンブラック、及びポリマー樹脂の粉末、並びにそれらの組み合せを含む、（５９）に記載の方法。
（６４）前記フィルターエレメントが第２隔壁に回転可能に連結され、前記隔壁間に配置された、（４３）に記載の方法。